(57)【要約】【課題】  外気を有効活用して立ち上がり特性を良くし消費電力の低減を図った空気調和機を提供する。【解決手段】  吸込口２ｆと、吹出口９と、これら吸込口２ｆ及び吹出口９を連通する第１通風路１５と、この第１通風路１５内に設けられる熱交換器１１及びこの熱交換器１１で調温された空気を室内へ吹出す送風ファン１２と、前記第１通風路１５に開口部を有しこの開口部を通し室外へ連通する第２通風路１７とを備えた空気調和機1において、室温を検出する室温センサと、外気温を検出する外気温センサと、外気を室内へ導入する給気装置１８とを備え、この給気装置１８は、前記開口部の開閉をするダンパ１６と、外気を吸引する給気ファン１８Ａとを有し、暖房モードに設定され、かつ外気温が室温より高いとき、及び冷房モードに設定され、かつ外気温が室温より低いときに運転される。【選択図】      図２
2005009849.tif 000002
【特許請求の範囲】
【請求項１】
室内空気を吸込む吸込口と、室内に空気を吹出す吹出口と、これら吸込口及び吹出口を連通する第１通風路と、この第１通風路内に設けられる熱交換器及びこの熱交換器で調温された空気を室内へ吹出す送風ファンと、前記第１通風路に開口部を有しこの開口部を通して室外へ連通する第２通風路とを備えた空気調和機において、
室温を検出する室温センサと、外気温を検出する外気温センサと、外気を室内へ導入する給気装置とを備え、この給気装置は、前記開口部の開閉をする給気ダンパと、外気を吸引する給気ファンとを有し、暖房モードに設定され、かつ外気温が室温より高いとき、及び冷房モードに設定され、かつ外気温が室温より低いときに運転されることを特徴とする空気調和機。
【請求項２】
前記給気装置は空調運転時及び空調運転停止時にかかわらずスイッチの操作により運転されることを特徴とする請求項１に記載の空気調和機。
【請求項３】
前記空気調和機には設定した時刻に空調運転を開始する入タイマー機能を備え、前記給気装置は、入タイマー作動中に空調運転開始の所定時間前から運転されることを特徴とする請求項１に記載の空気調和機。
【請求項４】
前記空気調和機には所定時間経過後に設定温度を上昇させるおやすみ運転機能を備え、前記給気装置はおやすみ運転の設定温度を上昇させた後に運転されることを特徴とする請求項１に記載の空気調和機。
【発明の詳細な説明】
【技術分野】
【０００１】
本発明は、外気を室内へ取り入れる機能を備えた空気調和機に関する。
【背景技術】
【０００２】
従来の空気調和機では、部屋の壁に孔を開け、この壁孔を通して室内へ外気を取り入れるようにした壁掛け形空気調和機は知られている。
【０００３】
この種の空気調和機では、例えば、本体の前面と上面に吸込口、前面下部に吹出口を設け、前記吸込口と吹出口を結ぶ第１通風路に熱交換器と送風ファンを設け、本体の背面壁に第１通風路に連通する開口とこの開口を開閉する開閉板を設け、一端が前記開口に接続され他端が室外へ導出されるとともに換気口を有するダクトからなる第２通風路を設けている。
【０００４】
そして、冷房、暖房、または除湿運転時に、外気温度が室内温度より設定温度に近いか、もしくは外気温度と室内温度とが設定温度を境に対極にある場合に、開閉板を開放し外気を取り入れて前記設定温度に近づけるように制御している。これにより外気を活用して室内環境の改善や省エネルギーを図っている（例えば、特許文献１参照）。
【特許文献１】特開２００１−３３０２９６号公報
【発明の開示】
【発明が解決しようとする課題】
【０００５】
しかしながら、例えば、真夏の日中等に空気調和機を停止して長時間部屋を閉め切った状態にしておくと、室内の温度が外気温以上に上昇し、冷房運転を行ってもなかなか室温が下がらないことがある。また、冬期の日中であって外気温が比較的上昇していても留守等で部屋を長時間放置したままにしておくと、室内が低い状態に保たれ、暖房運転してもなかなか室温が上がらないことがある。このように空気調和機を停止したまま長時間部屋を放置したままにしていると、空調運転開始時の負荷が大きくなっており、室温が設定温度に達するまで時間がかかる上、運転立ち上がり時の消費電力が増えるという問題があった。
【０００６】
本発明は、上述したような問題点に鑑みなされたものであり、外気を有効活用して立ち上がり特性を良く（室温が設定温度へ達するまでの時間を短く）し消費電力の低減を図った空気調和機を提供することを目的とする。
【課題を解決するための手段】
【０００７】
上記目的を達成するために、請求項１に記載の発明は、室内空気を吸込む吸込口と、室内に空気を吹出す吹出口と、これら吸込口及び吹出口を連通する第１通風路と、この第１通風路内に設けられる熱交換器及びこの熱交換器で調温された空気を室内へ吹出す送風ファンと、前記第１通風路に開口部を有しこの開口部を通して室外へ連通する第２通風路とを備えた空気調和機において、室温を検出する室温センサと、外気温を検出する外気温センサと、外気を室内へ導入する給気装置とを備え、この給気装置は、前記開口部の開閉をする給気ダンパと、外気を吸引する給気ファンとを有し、暖房モードに設定され、かつ外気温が室温より高いとき、及び冷房モードに設定され、かつ外気温が室温より低いときに運転されることを特徴とする。
【０００８】
請求項２に記載の発明は、請求項１に記載の空気調和機において、前記給気装置は空調運転時及び空調運転停止時にかかわらずスイッチの操作により運転されることを特徴とする。
【０００９】
請求項３に記載の発明は、請求項１に記載の空気調和機において、前記空気調和機には設定した時刻に空調運転を開始する入タイマー機能を備え、前記給気装置は、入タイマー作動中に空調運転開始の所定時間前から運転されることを特徴とする。
【００１０】
請求項４に記載の発明は、請求項１に記載の空気調和機において、前記空気調和機には所定時間経過後に設定温度を上昇させるおやすみ運転機能を備え、前記給気装置はおやすみ運転の設定温度を上昇させた後に運転されることを特徴とする。
【発明の効果】
【００１１】
本発明によれば、室内温度と室外温度を比較して適宜外気を室内へ導入することにより、空気調和機の消費電力低減を図ることができる。特に、空調運転を開始する前に給気運転を行い空調負荷を小さくすることによって、運転開始時の消費電力の低減を図ると共に、立ち上がり特性を良くすることができる。
【００１２】
また、入タイマー運転設定時など予め運転開始時刻が分かっている場合に、空調運転開始前に室内温度と外気温度を比較して外気導入を行うことにより、運転開始時の消費電力の低減を図ると共に、立ち上がり特性を良くすることができる。
【００１３】
更に、就寝中の空調運転のように空調負荷は小さいが運転時間が長い場合において、室内温度と外気温度を比較して外気導入を行うことにより、空気調和機の消費電力の低減を図ることができる。
【実施例１】
【００１４】
以下、本発明の一実施例を添付図面に従って説明する。
【００１５】
図１は、空気調和機に用いられるワイヤレスリモコン装置と空気調和機の関係を示す説明図である。図１において、空気調和機１は、室内機２、室外機３及びワイヤレスリモコン装置５（以下、単にリモコンという）を備え、室内機２と室外機３とが壁孔を通して配設される冷媒配管４にて接続されている。
【００１６】
図２は、室内機の左断面図、図３は後ケース部の正面図である。図２、図３において、室内機２は、前面側の前ケース部２Ａと、この前ケース部２Ａの前部に設けられ、吸込口２ｆを備えた吸込パネル２Ｂと、背面側に備えられる後ケース部２Ｃとで構成されている。
【００１７】
１１は、室内の空気を加熱／冷却（調温）する熱交換器で、その配管内を冷媒が通過することにより、冷房／ドライ運転時に蒸発器として作用し、冷却器として機能する。また、暖房運転時には、凝縮器として作用し、加熱器として機能するものである。
【００１８】
１２は、送風ファンで、この送風ファン１２の運転によって室内の空気を吸込みパネル２Ｂから吸込み、熱交換器１１で加熱／冷却して再び室内へ循環させるものである。
【００１９】
６は、熱交換器１１からのドレン水を貯留し排出するためのドレンパン、７は、前記送風ファン１２により吸込まれた室内空気中の比較的大きな塵埃を除塵するエアフィルタ、８は、前記エアフィルタ７を通過した室内空気中の比較的細かい塵埃を除塵する空気清浄フィルタである。
【００２０】
９は、熱交換器１１にて調温された空気を室内に吹出す温風／冷風の吹出口、９Ａは吹出口９に取付けられて吹出口９から吹出す温風／冷風の上下風向を制御するフラップ、１０は、前記吹出口９に取付けられて吹出口９から吹出す温風／冷風の左右風向を制御する複数の縦羽根である。前記フラップ９Ａには、その角度を調整する駆動用モータが取り付けられ、前記リモコン５の操作により回動自在に制御されるようになっている。
【００２１】
１５は、吸込口２ｆと吹出口９とを連通し縦断面が略円弧状の第１通風路で吸込口２ｆから吹出口９へ滑らかに接続されて温風／冷風を導くものである。１５Ａは第１通風路１５の途中にその横幅一杯に設けられ、屋外の空気を室内へ導くための連通口である。
【００２２】
１６は、前記連通口１５Ａに設けられた給気ダンパ（以下、単にダンパという）で、連通口１５Ａの上流側端部に設けられた軸１６Ａを支点に回動自在とし、開放時には第１通風路１５を遮るように開き、閉鎖時には第１通風路１５の壁面に沿って滑らかに収納される。（図２、図３参照）
１７は、連通口１５Ａの裏側に設けられた第２通風路で、屋外から取り入れた空気を連通口１５Ａ、第１通風路１５を通して吹出口９へと導く。第２通風路１７は、屋外から取り入れられた空気を吸気口１７Ｂを介して室内へ導くホース部３３と、このホース部３３に連通して第１通風路１５へ外気を導くダクト部１７Ａと、このダクト部１７Ａへ外気を給気する給気装置１８とで構成されている。
【００２３】
前記給気装置１８は、ダクト部１７Ａの右端に設けられ、シロッコファン又はターボファン１８Ａとそのケーシング１８Ｂとを有し、その吸気口１７Ｂには、屋外から取り入れられた空気を室内へ導く前記ホース部３３がホースバンド３３Ａで固定されている。
【００２４】
前記ホース部３３は、軟質の樹脂材料等で蛇腹状に構成され、室内機２の冷媒配管４（図１参照）と共に図示しない被調和室の外壁面に設けられた貫通孔を介して室外へと導かれる。
【００２５】
図４は、本発明における空気調和機の冷媒回路及び制御系統を示す模式図である。図４に示すように、空気調和機１は、室内機２及び室外機３を有しており、室外機３の室外冷媒配管１１４と室内機２の室内冷媒配管１１５とが、連結配管４ａ、４ｂを介して連結される。
【００２６】
室外機３には、圧縮機１１６が配設されるとともに、この圧縮機１１６の吸込み側にアキュームレータ１１７が配設され、圧縮機１１６の吐出側に四方弁１１８が配設され、この四方弁１１８側に室外熱交換器１１９、電動式膨張弁１２２が順次配設されて構成される。室外熱交換器１１９には、室外熱交換器１１９から室外へ送風する室外ファン１２０が隣接して配置される。
【００２７】
前記室外熱交換器１１９には、室外温度を検出するための室外温度センサ１３０が取付けられている。この室外温度センサ１３０は、例えば、室外熱交換器１１９を通過する空気の上流側に配設される。
【００２８】
室内機２には室内熱交換器１１が配設され、この室内熱交換器１１には、室内熱交換器１１から室内へ送風する送風ファン１２が隣接して配置されている。この送風ファン１２は、送風ファンモータ１２Ａによって駆動される。この室内ファンは、例えば、クロスフローファンである。
【００２９】
前記室内熱交換器１１には、室内温度を検出するための室内温度センサ１３１が取付けられている。この室内温度センサ１３１は、例えば、室内熱交換器１１を通過する空気の上流側に配設される。
【００３０】
また、空気調和機１には、空気調和機１全体を制御する制御装置１４０が備えられている。この制御装置１４０は、室外機３に設置される室外制御装置１４１と、室内機２に設置される室内制御装置１４２とを備えて構成されている。室内制御装置１４２は主に送風ファン１２の回転速度の制御を行い、また、室外制御装置１４１は要求される空調負荷に応じて圧縮機１１６の運転周波数を制御し、室外ファン１２０の回転速度を段階的に制御し、運転モードに応じて四方弁１１８を切換える制御を行うと共に、室内温度と設定温度との差が所定偏差（例えば、１℃）よりも小さければ、圧縮機１１６の運転を停止するサーモオフ制御を行う。更に、室外制御装置１４１は、電動式膨張弁１２２を制御するための信号を送る。
【００３１】
室外制御装置１４１は、ＣＰＵ１５１と、ＲＯＭ１５２と、ＲＡＭ１５３を備え、ＣＰＵ１５１はＲＯＭ１５２内の制御プログラム１５２Ａに従って、空気調和機１全体の制御を行う。ＲＯＭ１５２は、制御プログラム１５２Ａを含む制御用データをあらかじめ記憶し、ＲＡＭ１５３は、各種データを一時的に記憶する。
【００３２】
そして、前記室外温度センサ１３０及び室内温度センサ１３１によって検出された室外温度及び室内温度は前記ＲＡＭ１５３に一時的に記憶され、その記憶された温度データを基に、後述する自動モード選択テーブルから運転モードを選択したり、或いは両者を比較して後述する給気運転を開始したり、終了したりする。
【００３３】
ところで、リモコン５（図１参照）には、空気調和機１を制御するための各種操作スイッチ（運転／停止スイッチ、運転モード切換スイッチ、設定温度スイッチ、入タイマースイッチ、おやすみ運転スイッチ、給気運転スイッチ等）が配置されており、これら操作スイッチを操作することにより空気調和機１の設定が可能である。例えば、運転モード切換スイッチを操作するにより、冷房運転、ドライ運転（弱冷房運転）、暖房運転、または室温と外気温に応じて自動的に運転モードを設定する自動運転モードのいずれかの運転モードの設定が可能である。
【００３４】
冷房またはドライ運転モードに設定された場合、四方弁１１８が実線矢印で示すように切換えられ、冷媒が実線矢印の如く流れる。冷媒は、圧縮機１１６から吐出され四方弁１１８を経て室外熱交換器１１９に至り、この室外熱交換器１１９で凝縮され、室外機３の電動式膨張弁１２２を経て減圧された後、室内熱交換器１１へ流入する。この室内熱交換器１１で冷媒が蒸発され室内空気と熱交換することにより室内が冷房される。その後冷媒は、四方弁１１８及びアキュームレータ１１７を経て圧縮機１１６へ戻る。
【００３５】
ドライ運転を行う運転モードに設定された場合、四方弁１１８が実線矢印で示すように切換えられ、冷媒が実線矢印の如く流れる。そして、冷房運転よりも冷房能力の低い弱冷房運転を行って室内を除湿する。
【００３６】
暖房運転の運転モードに設定された場合、四方弁１１８が破線矢印で示すように切換えられ、冷媒が破線矢印の如く流れる。冷媒は、圧縮機１１６から吐出され四方弁１１８を経て室内熱交換器１１へ流入する。この室内熱交換器１１で冷媒が凝縮され室内空気と熱交換することにより室内が暖房される。その後冷媒は、室外機３の電動式膨張弁１２２で減圧され、室外熱交換器１１９で蒸発された後、四方弁１１８及びアキュームレータ１１７を経て圧縮機１１６に戻される。
【００３７】
図５は、本発明に係る空気調和機の一実施例を示す自動運転モード選択テーブルである。前記自動運転モード選択テーブルは、図５に示すように、複数の室内温度設定値ＴＲ１、ＴＲ２、ＴＲ３及び複数の室外温度設定値ＴＯ１、ＴＯ２、ＴＯ３とを用いて複数の温度ゾーンが設定されたデータテーブルとなっている。
【００３８】
例えば、外気温度１８℃未満の場合、外気温度１８〜２０℃未満で室内温度２２℃未満の場合及び外気温度２２℃以上で室内温度１５℃未満の場合に暖房モードが選択される。また、外気温度１８〜２０℃未満の場合、外気温度２０〜２２℃未満で室内温度２２〜２７℃未満の場合及び外気温度２２℃以上で室内温度１５〜２７℃未満の場合に暖房モードが選択される。また、外気温度２０℃以上で室内温度２７℃以上の場合に冷房モードが選択されるようになっている。
【００３９】
次に、入タイマー運転時、空調運転時、空調運転停止時、及びおやすみ運転時に行われる給気運転について説明する。
【００４０】
図６は入タイマー運転時における給気運転のフローチャートである。入タイマー運転時には入タイマースイッチをオンすることによって自動的に給気運転が行われる。
【００４１】
図６において、空気調和機１が入タイマー運転の待機中か否かを室内制御装置が判断する（ステップＳ１）。次に、室内制御装置が入タイマー運転の待機中と判断すると、入タイマー運転開始まで２時間以内か否かを室内制御装置が判断する（ステップＳ２）。次に、室内制御装置が入タイマー運転開始まで２時間以内と判断すると、前記自動モード選択テーブル（図５参照）に従って、選択される運転モードが冷房モード或いはドライモードか否かを判断する（ステップＳ３）。
【００４２】
ステップＳ２において、室内制御装置１４２が入タイマー運転開始まで２時間以内でないと判断すると、スタートへ戻り、再びステップＳ１の判断を繰返す。
【００４３】
次に、ステップＳ３において選択される運転モードが冷房モード或いはドライモードと判断されると、室内温度センサ１３１及び室外温度センサ１３０によって検出された室内温度と室外温度を比較し、室外温度が室内温度よりも低いか否かを判断する（ステップＳ４）。
【００４４】
そして、室外温度が室内温度よりも低いと判断すると、ダンパ１６を開放し、給気ファン１８Ａを回転させ、室外空気が室内に取り入れられる給気運転が開始される（ステップＳ５）。
【００４５】
ステップＳ４において、室外温度が室内温度よりも高いと判断すると、スタートへ戻り、再びステップＳ１の判断を繰返す。
【００４６】
次に、室内温度と室外温度を比較し、室外温度が室内温度以上であるか否かを判断する（ステップＳ６）。
【００４７】
そして、室外温度が室内温度以上であると判断すると、ダンパ１６を閉鎖し、給気ファン１８Ａを停止させ、給気運転が終了となる（ステップＳ７）。
【００４８】
ステップＳ６において、室外温度が室内温度よりも低いと判断すると、ステップＳ５へ戻り、室外温度が室内温度以上となるまで給気運転が継続される。
【００４９】
一方、ステップＳ３において選択される運転モードが暖房モードと判断されると、室内温度センサ１３１及び室外温度センサ１３０によって検出された室内温度と室外温度を比較し、室外温度が室内温度よりも高いか否かを判断する（ステップＳ８）。
【００５０】
そして、室外温度が室内温度よりも高いと判断すると、ダンパ１６を開放し、給気ファン１８Ａを回転させ、室外空気が室内に取り入れられる給気運転が開始される（ステップＳ９）。
【００５１】
ステップＳ８において、室外温度が室内温度以下であると判断すると、スタートへ戻り、再びステップＳ１の判断を繰返す。
【００５２】
次に、室内温度と室外温度を比較し、室外温度が室内温度以下であるか否かを判断（ステップＳ１０）し、室外温度が室内温度以下であると判断すると、ダンパ１６を閉鎖し、給気ファン１８Ａを停止させ、給気運転が終了となる（ステップＳ１１）。
【００５３】
ステップＳ１０において、室外温度が室内温度よりも高いと判断すると、ステップＳ９へ戻り、室外温度が室内温度以下となるまで給気運転が継続される。
【００５４】
図７は空調運転（冷房、ドライ、暖房）時における給気運転を示すフローチャートである。空調運転時には、の給気運転は、リモコンに設けられた給気運転スイッチをオンすることにより給気運転が行われる。
【００５５】
図７において、空調運転時に給気運転スイッチをオンにすると、冷房運転或いはドライ運転か否かを判断する（ステップＳ１３）。冷房運転或いはドライ運転と判断されると、室内温度センサ１３１及び室外温度センサ１３０によって検出された室内温度と室外温度を比較し、室外温度が室内温度よりも低いか否かを判断する（ステップＳ１４）。
【００５６】
そして、室外温度が室内温度よりも低いと判断すると、ダンパ１６を開放し、給気ファン１８Ａを回転させ、室外空気が室内に取り入れられる給気運転が開始される（ステップＳ１５）。
【００５７】
ステップＳ１４において、室外温度が室内温度よりも高いと判断すると、スタートへ戻り、再びステップＳ１３の判断を繰返す。
【００５８】
次に、室内温度と室外温度を比較し、室外温度が室内温度以上であるか否かを判断する（ステップＳ１６）。
【００５９】
そして、室外温度が室内温度以上であると判断すると、ダンパ１６を閉鎖し、給気ファン１８Ａを停止させ、給気運転が終了となる（ステップＳ１７）。
【００６０】
ステップＳ１６において、室外温度が室内温度よりも低いと判断すると、ステップＳ１５へ戻り、室外温度が室内温度以上となるまで給気運転が継続される。
【００６１】
一方、ステップＳ１３において選択される運転モードが暖房モードと判断されると、室内温度センサ１３１及び室外温度センサ１３０によって検出された室内温度と室外温度を比較し、室外温度が室内温度よりも高いか否かを判断する（ステップＳ１８）。
そして、室外温度が室内温度よりも高いと判断すると、ダンパ１６を開放し、給気ファン１８Ａを回転させ、室外空気が室内に取り入れられる給気運転が開始される（ステップＳ１９）。
【００６２】
ステップＳ１８において、室外温度が室内温度以下であると判断すると、スタートへ戻り、再びステップＳ１３の判断を繰返す。
【００６３】
次に、室内温度と室外温度を比較し、室外温度が室内温度以下であるか否かを判断（ステップＳ２０）し、室外温度が室内温度以下であると判断すると、ダンパ１６を閉鎖し、給気ファン１８Ａを停止させ、給気運転が終了となる（ステップＳ２１）。
【００６４】
図８は空気調和機の停止時における給気運転を示すフローチャートである。空調運転停止時には、リモコンに設けられた給気運転スイッチをオンすることにより給気運転が行われる。
【００６５】
図８において、停止時に給気運転スイッチをオンにすると、前記自動モード選択テーブル（図５参照）に従って選択される運転モードが冷房モード或いはドライモードか否かを判断する（ステップＳ２３）。
【００６６】
ステップＳ２３において選択される運転モードが冷房モード或いはドライモードと判断されると、室内温度センサ１３１及び室外温度センサ１３０によって検出された室内温度と室外温度を比較し、室外温度が室内温度よりも低いか否かを判断する（ステップＳ２４）。
【００６７】
そして、室外温度が室内温度よりも低いと判断すると、ダンパ１６を開放し、給気ファン１８Ａを回転させ、室外空気が室内に取り入れられる給気運転が開始される（ステップＳ２５）。
【００６８】
ステップＳ２４において、室外温度が室内温度よりも高いと判断すると、スタートへ戻り、再びステップＳ２３の判断を繰返す。
【００６９】
次に、室内温度と室外温度を比較し、室外温度が室内温度以上であるか否かを判断する（ステップＳ２６）。
【００７０】
そして、室外温度が室内温度以上であると判断すると、ダンパ１６を閉鎖し、給気ファン１８Ａを停止させ、給気運転が終了となる（ステップＳ２７）。
【００７１】
ステップＳ２６において、室外温度が室内温度よりも低いと判断すると、ステップＳ２５へ戻り、室外温度が室内温度以上となるまで給気運転が継続される。
【００７２】
一方、ステップＳ２３において選択される運転モードが暖房モードと判断されると、室内温度センサ１３１及び室外温度センサ１３０によって検出された室内温度と室外温度を比較し、室外温度が室内温度よりも高いか否かを判断する（ステップＳ２８）。
【００７３】
そして、室外温度が室内温度よりも高いと判断すると、ダンパ１６を開放し、給気ファン１８Ａを回転させ、室外空気が室内に取り入れられる給気運転が開始される（ステップＳ２９）。
【００７４】
ステップＳ２８において、室外温度が室内温度以下であると判断すると、スタートへ戻り、再びステップＳ２３の判断を繰返す。
【００７５】
次に、室内温度と室外温度を比較し、室外温度が室内温度以下であるか否かを判断する（ステップＳ３０）。
【００７６】
そして、室外温度が室内温度以下であると判断すると、ダンパ１６を閉鎖し、給気ファン１８Ａを停止させ、給気運転が終了となる（ステップＳ３１）。
【００７７】
このように、室内温度と室外温度を比較して適宜室外空気を室内へ取り入れることによって、空気調和機１の消費電力低減を図ることができる。
【００７８】
また、入タイマー運転設定時など予め運転開始時刻が分かっている場合には、運転開始前の空調負荷が大きい際に、室内温度と室外温度を比較して適宜室外空気を室内へ取り入れることにより、空気調和機１の立ち上がりを速くすることができると共に、立ち上がり時の消費電力を低減することができる。
【００７９】
次に、おやすみ運転時における給気運転について図９のフローチャートを参照しながら説明する。おやすみ運転時には、リモコンに設けられたおやすみ運転スイッチをオンすることによって自動的に給気運転が行われる。
【００８０】
まず、空気調和機１が冷房或いはドライのおやすみ運転中か否かを室内制御装置１４２が判断する（ステップＳ４１）。次に、室内制御装置１４２が冷房或いはドライのおやすみ運転中と判断すると、おやすみ運転開始後１時間経過したか否かを室内制御装置が判断する（ステップＳ４２）。
【００８１】
一方、ステップＳ４１において、冷房或いはドライのおやすみ運転中でないと判断すると、ステップＳ４１の判断を繰返す。
【００８２】
次に、ステップＳ４２においておやすみ運転開始後１時間経過したと判断すると、設定温度を１℃セットバックして使用者が就寝中に寝冷えしないようにする（ステップＳ４３）。
【００８３】
次に、室内温度センサ及び室外温度センサによって検出された室内温度と室外温度を比較し、室外温度が室内温度よりも低いか否かを判断する（ステップＳ４４）。
【００８４】
そして、室外温度が室内温度よりも低いと判断すると、ダンパ１６を開放し、給気ファン１８Ａを回転させ、室外空気が室内に取り入れられる給気運転が開始される（ステップＳ４５）。
【００８５】
ステップＳ４４において、室外温度が室内温度よりも高いと判断すると、ステップＳ４１へ戻り、再びステップＳ４１の判断を繰返す。
【００８６】
次に、室内温度と室外温度を比較し、室外温度が室内温度以上であるか否かを判断する（ステップＳ４６）。
【００８７】
そして、室外温度が室内温度以上であると判断すると、ダンパ１６を閉鎖し、給気ファン１８Ａを停止させ、給気運転が終了となる（ステップＳ４７）。
【００８８】
ステップＳ４６において、室外温度が室内温度よりも低いと判断すると、ステップＳ４５へ戻り、室外温度が室内温度以上となるまで給気運転が継続される。
【００８９】
一方、ステップＳ４２においておやすみ運転開始後１時間経過していないか或いは１時間を越えたと判断すると、室内温度センサ１３１及び室外温度センサ１３０によって検出された室内温度と室外温度を比較し、室外温度が室内温度よりも低いか否かを判断する（ステップＳ４８）。
【００９０】
そして、室外温度が室内温度よりも低いと判断すると、ダンパ１６を開放し、給気ファン１８Ａを回転させ、室外空気が室内に取り入れられる給気運転が開始される（ステップＳ４９）。
【００９１】
ステップＳ４８において、室外温度が室内温度よりも高いと判断すると、ステップＳ４１へ戻り、再びステップＳ４１の判断を繰返す。
【００９２】
次に、室内温度と室外温度を比較し、室外温度が室内温度以上であるか否かを判断する（ステップＳ５０）。
【００９３】
そして、室外温度が室内温度以上であると判断すると、ダンパ１６を閉鎖し、給気ファン１８Ａを停止させ、給気運転が終了となる（ステップＳ５１）。
【００９４】
ステップＳ５０において、室外温度が室内温度よりも低いと判断すると、ステップＳ４４へ戻り、室外温度が室内温度以上となるまで給気運転が継続される。
【００９５】
このように、使用者の就寝時のような空調負荷は小さいが運転時間が長い場合において、室内温度と外気温度を比較して適宜外気導入を行うことにより、空気調和機１の消費電力低減を図ることができる。
【００９６】
以上、本発明の一実施例について説明したが、本発明はこれに限定されるものではない。
【００９７】
例えば、図６のフローチャートのステップＳ２において、入タイマー運転開始の２時間前から室内温度と室外温度を検知して、適宜給気運転が開始されることとしたが、空気調和機１が設置される環境に応じて空調負荷が異なることが容易に予測されることから、必要に応じて使用者が給気運転の開始時間を設定変更できるようにしてもよい。
【００９８】
また、例えば、図９のフローチャートのステップＳ４３において、設定温度のセットバックを１℃としたが、使用者の好みに応じて自由に設定変更可能なものとしてもよいなど適宜応用可能である。
【図面の簡単な説明】
【００９９】
【図１】本発明における壁掛け形空気調和機とリモコンを示す説明図である。
【図２】図１の室内機の左断面図である。
【図３】図１の室内機の後ケース部を示す正面図である。
【図４】本発明における空気調和機の冷媒回路及び制御系統を示す模式図である。
【図５】本発明における空気調和機の自動運転モード選択テーブルである。
【図６】入タイマー運転時における給気運転のフローチャートである。
【図７】空調運転時における給気運転を示すフローチャートである。
【図８】空調運転停止時における給気運転を示すフローチャートである。
【図９】おやすみ運転時における給気運転を示すフローチャートである。
【符号の説明】
【０１００】
１  空気調和機
２  室内機
２Ｃ  後ケース部
２ｆ  吸込口
５  リモコン
９  吹出口
１２  送風ファン
１５  第１通風路
１５Ａ  連通口（開口部）
１６  給気ダンパ
１７  第２通風路
１７Ａ  ダクト部
１７Ｂ  吸気口
１８  給気装置
１８Ａ  給気ファン
１３０  室外温度センサ（室温センサ）
１３１  室内温度センサ（外気温センサ）
１４０  制御装置
【図１】
2005009849.tif 000003
【図２】
2005009849.tif 000004
【図３】
2005009849.tif 000005
【図４】
2005009849.tif 000006
【図５】
2005009849.tif 000007
【図６】
2005009849.tif 000008
【図７】
2005009849.tif 000009
【図８】
2005009849.tif 000010
【図９】
2005009849.tif 000011